(57)【要約】      （修正有）【課題】嵌め合わせ部を嵌め合わせ座内に完全に嵌め付けできるボタンプライヤーを提供する。【解決手段】ボタンプライヤーの二つの挟み端に第一止座と第二止座が設けられ、その特徴は第一止座に第一連接部及び第一押し付け部が設けられ、第一押し付け部にはボタンの上ピースの嵌め付けに用いられる環槽区が凹入して設けられる。第二止座には第二連接部及び第二押し付け部が設けられ、第二押し付け部にはボタンの下ピースの嵌め付けに用いられる環塊区が突き出して設けられる。【選択図】図６
0003157610.tif 000002
【実用新案登録請求の範囲】
【請求項１】
改善した止座を備えるボタンプライヤーであって、
ボタンプライヤーに第一挟み端と第二挟み端が設けられ、
第一挟み端と第二挟み端にはそれぞれ第一止座と第二止座が連接して設けられ、
第一止座には第一連接部及び第一押し付け部が設けられ、
第一連接部は第一挟み端に連接され、第一押し付け部にはボタンの上ピースの嵌め付けに用いられる環槽区が凹入して設けられ、
第二止座には第二連接部及び第二押し付け部が設けられ、
第二連接部は第二挟み端に連接され、
第二押し付け部にはボタンの下ピースの嵌め付けに用いられる環塊区が突き出して設けられ、
プライヤーを挟み付けると、第一止座及び第二止座は互いに挟み合わせ、並びに第一、第二押し付け部の環槽区と環塊区の作用を受け、ボタンの上、下ピースはスムーズに一体に押しつけられて繋げられることを特徴とする改善した止座を備えるボタンプライヤー。
【請求項２】
前記環槽区の内径はボタンの上ピースの内径に一致し、かつ環槽区内には内置空間が設けられて相対する環塊区との嵌め付けに用いられ、かつ環塊区は外側から中心へ逐次突き出すように表れ、ボタンの下ピースが斜めの作用を受けて外へ延伸するよう確保することを特徴とする請求項１記載の改善した止座を備えるボタンプライヤー。
【請求項３】
前記環塊区とボタンの下ピースの接触端は斜め平面、斜め凹面または斜め凸面の一つであることを特徴とする請求項２記載の改善した止座を備えるボタンプライヤー。
【考案の詳細な説明】
【技術分野】
【０００１】
本考案はオス、メスボタン（button）の上、下ピース（piece）を布地に挟み付けるプライヤー（pliers）に関するもので、更に詳しく言えば、特にボタンの上、下ピースを嵌め付けることができ、並びに挟み付け作用によって両者を互いに押しつなぐボタンのプライヤーに関するものである。
【背景技術】
【０００２】
図１及び図２に示すように従来のボタンプライヤー（別名ホックプライヤー）は、プライヤーの二つの挟み端に第一止座６と第二止座７が設けられる。第一止座６と第二止座７にはそれぞれ第一押し合せ部６１と第二押し合せ部７１を備える。第一押し合せ部６１は中心へ凹入して錐面が表れ、第二押し合せ部７１は凹入して環凹部７１１が設けられて内斜面を形成する。これにより、ボタンの上、下ピース４１、４２をそれぞれ第一押し合せ部６１と第二押し合せ部７１内に嵌め付け、かつ挟み合わせ作用によってボタンの上、下ピース４１、４２を押しつなぐ。
ところが、図２に示すように、前記第一押し合せ部６１が錐面に表れるので、ボタンの上ピース４１と第一押し合せ部６１の接触面は小面積しかなく、ボタンの上ピース４１と第一押し合せ部６１はぴったり合うことができない。
一方、第二押し合せ部７１には環凹部７１１を備えるので、それに形成される内斜面は第二押し合せ部７１をボタンの下ピース４２の嵌め合わせ座４２１の周囲とだけ接触し、ボタンの下ピース４２と第二押し合せ部７１もぴったりに合うことができず、ボタンの下ピース４２と第二押し合せ部７１には隙間７２が生じる。
図３と図４に示すように、上記の問題をまとめると、ボタンの上ピース４１の嵌め合わせ部４１１がボタンの下ピース４２の嵌め合わせ座４２１と接触した場合、両者の間に互いにぶつかる状況が発生し、かつ嵌め合わせ部４１１が嵌め合わせ座４２１に嵌め込んだとき、嵌め合わせ部４１１と嵌め合わせ座４２１はともに支えの力を欠けるので、嵌め合わせ部４１１は嵌め合わせ座４２１内に完全に嵌め付けることができずに、図５に示すように、ボタンが脱落しやすい状況に導く。
【考案の概要】
【考案が解決しようとする課題】
【０００３】
上記した従来技術の欠点をまとめると、それは概して従来のボタンプライヤーはボタンの上、下ピースと止座間の貼り合わせの問題により、ボタンの上、下ピースを押し合わせると、嵌め合わせ部と嵌め合わせ座はともに支えの力に欠けるので、嵌め合わせ部は嵌め合わせ座内に完全に嵌め付けることができずにボタンが脱落しやすい状況に導くといった問題がある。本考案は以上の点に鑑みてなされたもので、本考案は上記した欠点を解決する改善した止座を備えるボタンプライヤーを提出する。
【課題を解決するための手段】
【０００４】
本考案は改善した止座を備えるボタンプライヤーの一種で、その主要な構成とするところはボタンプライヤーの二つの挟み端に第一止座と第二止座が設けられ、その特徴は第一止座には第一連接部及び第一押し付け部が設けられ、第一連接部はプライヤーの挟み端に連接され、第一押し付け部にはボタンの上ピースの嵌め付けに用いられる環槽区が凹入して設けられる。第二止座には第二連接部及び第二押し付け部が設けられ、第二連接部はプライヤーの挟み端に連接され、第二押し付け部にはボタンの下ピースの嵌め付けに用いられる環塊区が突き出して設けられる。これにより、プライヤーが力を受けて挟み付けると、第一止座及び第二止座は互いに挟み合わせ、並びに第一、第二押し付け部の環槽区と環塊区の作用を受け、ボタンの上、下ピースは順調にに一体に押しつなげられる。
【考案の効果】
【０００５】
本考案は前記環槽区と環塊区の設計によってボタンの上ピースと第一押し付け部との接触面積、及びボタンの下ピースと第二押し付け部との接触面積を増やし、それによってボタンの上、下ピースはそれぞれ第一押し付け部と第二押し付け部に貼り付けられる。
このように、第一止座と第二止座が互いに挟み合わせられると、ボタンの上、下ピースは緊密に押しつなげられて脱落しなくなる。
【図面の簡単な説明】
【０００６】
【図１】従来のボタンプライヤーの立体外観図である。
【図２】従来のボタンプライヤーがボタンの上、下ピースを嵌め付けた断面図である。
【図３】従来のボタンプライヤーの作動意表図（一）である。
【図４】従来のボタンプライヤーの作動意表図（二）である。
【図５】図４のボタンの上、下ピースの押しつなぎが完成した意表図である。
【図６】本考案の立体分解図である。
【図７】本考案の立体外観図である。
【図８】本考案でボタンの上、下ピースを嵌め付けた断面図である。
【図９】本考案のボタンプライヤーの作動意表図（一）である。
【図１０】本考案のボタンプライヤーの作動意表図（二）である
【図１１】図１０のボタンの上、下ピースの押しつなぎが完成した意表図である。
【考案を実施するための形態】
【０００７】
図６に示すように、本考案は改善した止座を備えるボタンプライヤーであり、プライヤー１０、第一止座２０、及び第二止座３０を含む。
【０００８】
図６及び図７に示すように、プライヤー１０には第一挟み端１１と第二挟み端１２を備える。
第一と第二挟み端１１、１２にはそれぞれ第一止座２０と第二止座３０が連接して設けられる。
第一止座２０には第一連接部２１及び第一押し付け部２２が設けられる。
第一連接部２１はねじ付け方式によってプライヤー１０の挟み端に連接される。
第一押し付け部２２は延伸して第一連接部２１の第一挟み端１１に相対する一側に設けられる。
第二止座３０には第二連接部３１及び第二押し付け部３２が設けられる。
第二連接部３１はねじ付け方式によってプライヤー１０の挟み端１１に連接され、第二押し付け部３２は延伸して第二連接部３１の第二挟み端１２に相対する一側に設けられる。
このほか、第一押し付け部２２と第二押し付け部３２はそれぞれ周囲に弾性シート２２１、３２１が取り付けられる。それはボタンの上、下ピース４１、４２を第一押し付け部２２と第二押し付け部３２から脱落しないように固定し、かつ第一止座２０と第二止座３０が挟み合した場合、それはクッション（cushion）作用となり、第一止座２０と第二止座３０が互いに摩擦衝突して損害することを避ける。
【０００９】
図８に示すように、第一押し付け部２２には環槽区２３が凹入して設けられる。環槽区２３の内径はボタンの上ピースの内径に一致し、それによってボタンの上ピース４１はその中に嵌め込められ、かつ環槽区２３内には内置空間２３１が設けられてある。
【００１０】
第二押し付け部３２には環塊区３３が突き出して設けられる。環塊区３３は内置空間２３１内に嵌め付けられる。
環塊区３３はボタンの下ピース４２の嵌め止めに用いられ、かつ環塊区３３は外側から中心へ逐次突き出すように表れ、ボタンの下ピース４２が斜め作用を受けて外へ延伸するよう確保する。また、環塊区３３は第二連接部３１の軸心位置へ向かって凹槽３３１が設けられる。
【００１１】
また、環塊区３３とボタンの下ピース４２の接触端は斜め平面、斜め凹面または斜め凸面、または其の他いかなる形状でよいが、それは突き出した斜面に現れてボタンの下ピース４２との貼り合わせに用いられる。
【００１２】
本考案の実施例の中で、図８及び図９に示すように、ボタンを取り付ける布地５０を第一止座２０と第二止座３０の間に置き、かつ第一止座２０と第二止座３０を互いに挟み合わせる。
この場合、第一押し付け部２２とボタンの上ピース４１の接触端はちょうど環槽区２３が形成する円弧個所に位置し、それによってボタンの上ピース４１は第一押し付け部２２に貼り合わせることができる。第二押し付け部３２とボタンの下ピース４２は嵌め付け座４２１の斜面個所をもって環塊区３３に当て付ける。それによってボタンの下ピース４２は第二押し付け部３２に貼り合わせることができる。
これにより、ボタンの上ピース４１とボタンの下ピース４２は第一、第二押し付け部２２、３２の環槽区２３と環塊区３３の作用を受け、ボタンの上ピース４１の嵌め付け部４１１は布地５０を貫き通ってボタンの下ピース４２の嵌め付け座４２１に接触し、嵌め付け部４１１の円弧に従って彎曲状に表れ、ボタンの上、下ピース４１、４２は図１０及び図１１に示すように、順調に一体に押しつなげられる。
【００１３】
本考案は一つの最適な実施例について説明したが、本考案は本考案の精神を逸脱しない範囲で各種形式の変更を行うことができる。以上に説明した実施例は本考案の説明に用いるだけで、それは本考案を制限するものではない。およそ本考案の精神を背かないで行った各種の置換と変更はすべて本考案に属するものである。
【符号の説明】
【００１４】
１０    プライヤー
１１    第一挟み端
１２    第二挟み端
２０    第一止座
２１    第一連接部
２２    第一押し付け部
２２１、３２１    弾性シート
２３    環槽区
２３１    内置空間
３０    第二止座
３１    第二連接部
３２    第二押し付け部
３３    環塊区
３３１    凹槽
４１    ボタンの上ピース
４１１    嵌め付け部
４２    ボタンの下ピース
４２１    嵌め付け座
５０    布地
【図１】
0003157610.tif 000003
【図２】
0003157610.tif 000004
【図３】
0003157610.tif 000005
【図４】
0003157610.tif 000006
【図５】
0003157610.tif 000007
【図６】
0003157610.tif 000008
【図７】
0003157610.tif 000009
【図８】
0003157610.tif 000010
【図９】
0003157610.tif 000011
【図１０】
0003157610.tif 000012
【図１１】
0003157610.tif 000013